(57)【要約】      （修正有）【課題】製造コストを抑えながら、強度が高いとともに、耐水性、耐油性、更には耐熱性を備え、印刷特性も良い段ボールシートを提供する。【解決手段】波型に加工した第１の中芯２と、第１の中芯２の表裏面に接着した第１のライナー３と、第１のライナー３のそれぞれにおける反第１の中芯２側の面に接着した、波型に加工した第２の中芯４と、第２の中芯４のそれぞれにおける反第１のライナー３側に接着した第２のライナー５を具備した段ボールシートであって、第２の中芯４はそれぞれ、第１の中芯２よりも波高及び波幅を小さくし、第２のライナー５はそれぞれ、反第２の中芯４側の表面にコーティング層を具備する。コーティング層は、珪藻土と光触媒を混ぜ合わせたコーティング材からなる。【選択図】図２
0003186737.tif 000002
【実用新案登録請求の範囲】
【請求項１】
波型に加工した第１の中芯（２）と、
該第１の中芯（２）の表裏面に接着した第１のライナー（３）と、
該第１のライナー（３）のそれぞれにおける反第１の中芯（２）側の面に接着した、波型に加工した第２の中芯（４）と、
該第２の中芯（４）のそれぞれにおける反第１のライナー（３）側に接着した第２のライナー（５）と、を具備した段ボールシートであって、
前記第２の中芯（４）はそれぞれ、前記第１の中芯（２）よりも波高及び波幅を小さくしたことを特徴とする段ボールシート。
【請求項２】
前記第２のライナー（５）はそれぞれ、
ライナー本体（６）と、
該ライナー本体（６）における反第２の中芯（５）側に形成したコーティング層（７）と、を具備するとともに、
前記コーティング層（７）は、珪藻土と光触媒を混ぜ合わせて製造したコーティング材を前記第２のライナー（６）における反第２の中芯（４）側の表面に塗布することで形成した、ことを特徴とする請求項１に記載の段ボールシート。
【請求項３】
前記コーティング材は、珪藻土とチタンアパタイトを混ぜ合わせて製造したコーティング材であることを特徴とする請求項２に記載の段ボールシート。
【考案の詳細な説明】
【技術分野】
【０００１】
本考案は芯材とこの芯材の表裏面に備えたカバー材を有する段ボールシートに係り、より詳しくは、強度を高めるとともに耐水性、耐油性、耐熱性を持たせ、更に印刷特性を良くした段ボールシートに関する。
【背景技術】
【０００２】
従来から、各種分野において、包装資材や養生材として段ボールシートが用いられており、また、この段ボールシートを加工することで段ボール箱や置物が製造されている。
【０００３】
ここで、段ボールシートとは一般的に、波型に加工した紙製の中芯の表裏面に紙製のライナーを接着することにより構成されており、これを各種のシートや箱、置物の素材として用いた場合には、使用後にこれをリサイクルすることも可能であり、また焼却した場合でも有害物質を排出することが無く、地球環境にも貢献することが可能である。
【０００４】
しかしながら、従来から提供されている段ボールシートは、中芯を波型に加工しており、そのために表面の平滑性が無いために、印刷特性が悪いという問題点が指摘されている。
【０００５】
また、中芯を波型に加工しているために強度があまり無く損傷し易いとともに、波の頂点又は底の部分に沿って折れ曲がり易く、そのために、実際にはリサイクル性が低いという問題点があった。
【０００６】
更に、従来の段ボールシートは、湿気等に弱く、耐水性、耐油性があまり無いために湿気の影響により特に反り等を起こしてしまう反面、熱にも弱いという問題点も指摘されていた。
【０００７】
そこで、本考案者は過去において、芯材に複数個の凹凸部を形成するとともに、芯材の表裏面、及びライナーとしてのカバー材の表裏面に防湿及び防水性の皮膜層を形成した紙段ボールを提案しており、この紙段ボールによれば、全体の強度を高めることができるとともに、湿気等の影響は抑えることができ、これにより反りを防止することが可能である。
【先行技術文献】
【特許文献】
【０００８】
【特許文献１】実用新案登録第３１２３１０４号公報
【特許文献２】特開２００３−１３６６１６号公報
【考案の概要】
【考案が解決しようとする課題】
【０００９】
しかし、前述の従来の段ボールシートでは、全体の強度を高めることができるとともに湿気の影響を抑えることはできるが、表面の平滑性を担保して印刷特性を良くすることはできず、また、耐熱性を確保することはできず、従って、従来の段ボールシートと同様に、熱に弱いという問題点を解決することはできていない。
【００１０】
更に、前述の段ボールでは、全体の強度を高めるとともに湿気の影響を抑えるために、芯材に複数個の凹凸部を形成し、更に芯材の表裏面及びライナーの表裏面に防湿及び防水性の皮膜層を形成するために、構造が複雑になり製造コストが上がってしまうという問題点が考えられる。
【００１１】
そこで、本考案は、製造コストを抑えながら、強度が高いとともに、耐水性、耐油性、更には耐熱性を備え、印刷特性も良い段ボールシートを提供することを課題としている。
【課題を解決するための手段】
【００１２】
本考案の段ボールシートは、
波型に加工した第１の中芯と、
該第１の中芯の表裏面に接着した第１のライナーと、
該第１のライナーのそれぞれにおける反第１の中芯側の面に接着した、波型に加工した第２の中芯と、
該第２の中芯のそれぞれにおける反第１のライナー側に接着した第２のライナーと、を具備した段ボールシートであって、
前記第２の中芯はそれぞれ、前記第１の中芯よりも波高及び波幅を小さくしたことを特徴としている。
【考案の効果】
【００１３】
本考案の段ボールシートでは、第１の中芯の表裏面に接着した第１のライナーのそれぞれにおける反第１の中芯側の面に第２の中芯を接着し、この第２の中芯のそれぞれにおける反第１のライナー側に第２のライナーを接着して構成した多層構造にしている。
【００１４】
そのために、熱遮断性に優れており従って耐熱性を有するとともに、耐水性、耐油性をも備えており、湿気の影響を受けることが少ない。
【００１５】
また、多層構造のために全体としての強度を高めることができ、それにより緩衝性が高くなるとともに、損傷が少なくなり、そのために、リサイクル性を高くすることができる。
【００１６】
更に、本考案の段ボールシートでは、第１の中芯の外側に配置される第２の中芯の波を、それぞれ、第１の中芯の波よりも小さい波としているために、表面の平滑性を得ることができ、印刷特性を高めることが可能である。
【００１７】
更にまた、本考案の段ボールシートでは、波型に加工した中芯を３層にしているために、材料の使用量を大幅に増やすことなく厚みを出すことができるために、コストを抑えることが可能である。即ち、例えば、厚みを出すために板紙の厚みを厚くした場合には材料の使用量を大幅に増やす必要があり、コストが上がるとともに重量も増えて運搬、保管等に不便になるが、本考案の段ボールシートでは、波型に加工した中芯を３層にして厚みを出しているために、材料の使用量を大幅に増やすことなく厚みを出すことができ、エコロジーにも資することが可能である。
【図面の簡単な説明】
【００１８】
【図１】本考案の段ボールシートの実施例の正面図である。
【図２】図１におけるＡ−Ａ線断面構造の一部を拡大して示した図である。
【図３】本考案の段ボールシートの実施例における第２のライナーの構造を説明するための断面図である。
【考案を実施するための形態】
【００１９】
本考案の段ボールシートでは、波型に加工した第１の中芯と、この第１の中芯の表裏面に接着した第１のライナーとを具備している。
【００２０】
また、第１のライナーのそれぞれにおける反第１の中芯側の面には、波型に加工した第２の中芯が接着されており、この第２の中芯のそれぞれにおける反第１のライナー側には、第２のライナーが接着されており、これにより全体として７層の構成としている。
【００２１】
そして、第２の中芯の波はそれぞれ、第１の中芯の波よりも、波高及び波幅を小さくしている。
【００２２】
ここで、第２のライナーをそれぞれ、ライナー本体と、このライナー本体における反第２の中芯側に形成したコーティング層とで構成するとともに、コーティング層は、珪藻土と光触媒を混ぜ合わせて製造したコーティング材を前記第２のライナーにおける反第２の中芯側の表面に塗布することで形成するとよく、これにより、珪藻土と作用によって室内の調湿を行うことが可能になるとともに、長期間の経過によっても汚れない段ボールシートにすることができる。
【００２３】
また、光触媒としては、チタンアパタイトを用いると良く、これにより、チタンアパタイトが有する優れた吸着力によって、段ボールシートに付着した汚れ、菌等をほとんど分解することが可能となる。
【実施例１】
【００２４】
本考案の段ボールシートの実施例について図面を参照して説明すると、図１は、本実施例の段ボールシートの正面図であり、また、図２は、図１におけるＡ−Ａ線断面構造の一部を拡大して示した図である。
【００２５】
そして、図において１が本実施例の段ボールシートであり、本実施例の段ボールシート１は、紙段ボールとしており、紙製の第１の中芯と、この第１の中芯の表裏面に備えられた紙製の第１のライナーとを具備している。
【００２６】
即ち、図２において２が第１の中芯であり、本実施例において前記第１の中芯２は、一般的な紙段ボールと同様に、主に古紙を用いて製造された多層抄きの板紙であり、波型に加工されている。
【００２７】
そして、この第１の中芯２の表裏面には、前記第１の中芯２と同様に、主に古紙を中心として製造された多層抄きの板紙からなる第１のライナー３が、接着剤等によって接着されている。
【００２８】
次に、図において４は第２の中芯、５は第２のライナーである。即ち、本実施例の段ボールシート１では、前記第１のライナー３のそれぞれにおける、第１の中芯２側の面と反対の面に、波型に加工した第２の中芯４を接着剤等の接着手段によって接着しており、更に、この第２の中芯４のそれぞれにおける、第１のライナー３側と反対の側には、接着剤等の接着手段によって、第２のライナー５が接着されており、従って、全体として７層の構成としている。
【００２９】
そのために、本実施例の段ボールシート１では、熱遮断性に優れているとともに、耐水性、耐油性をも備えているために、屋内、屋外を問わず、湿気の影響を受けることが少ない。
【００３０】
また、７層構造にしているために、Ｗフルートと言われる５層構造の段ボールシートと比較しても、更に、全体としての強度を高めることができ、従って、緩衝性が高くなるとともに、損傷が少なくなり、リサイクル性を高くすることができる。
【００３１】
更に、本実施例の段ボールシート１では、中芯を３層にすることで厚みを出しているために、板紙の厚みを厚くして全体の厚みを出す場合と異なり、材料の使用量を大幅に増やすことなく厚みを出すことができるために、コストを抑えることが可能であり、エコロジーにも資することになる。
【００３２】
そして、本実施例において、前記第２のライナー５は前記第１のライナー３と同様に主に古紙を中心として製造された多層抄きの板紙からなっており、更に前記第２の中芯４は、前記第１の中芯２と同様に主に古紙を用いて製造された多層抄きの板紙であり波型に加工されているが、図２からも明らかなように、前記第２の中芯４の波はそれぞれ、前記第１の中芯２の波よりも、波高及び波幅を小さくしている。
【００３３】
即ち、前述したように、一般的に段ボールシートは中芯を波型に加工しているために表面の平滑性に欠けてしまい、それにより印刷特性が悪いという問題点が指摘されている。そこで、本実施例の段ボールシート１では、前記第２の中芯４の波をそれぞれ前記第１の中芯２の波よりも小さくし、それにより波高を低くして、表面の平滑性を確保している。
【００３４】
従って、本実施例の段ボールシートでは、表面及び裏面が平滑であるために、印刷特性を高めることが可能であるために、多少の印圧が加わった場合でも、印刷を行うことが可能である。
【００３５】
なお、本実施例において前記中芯４の波高は約１ｍｍ前後としているが、寸法は特に限定されない。また、第１及び第２の中芯２、４と第１及び第２のライナー３、５の接着方法は特に限定されず、いずれの方法で接着しても良い。
【００３６】
次に、図３は、前記第２のライナー５の構造を説明するための断面図であり、前記第２のライナー５の断面構造の一部を拡大して示している。そして、本実施例において前記第２のライナー５は、前記第２の中芯４のそれぞれにおける反第１のライナー３側に、接着剤等の接着手段によって接着された板紙状のライナー本体６と、このライナー本体６における反第２の中芯４側の面に形成したコーティング層７から構成されており、ライナー本体６は、主に古紙を中心として製造された多層抄きの板紙としている。
【００３７】
一方、前記コーティング層７は、珪藻土と光触媒を混ぜ合わせて製造したコーティング材を、前記ライナー本体６における反第２の中芯４側の面に塗布することで形成しており、光触媒としては、アパタイト結晶中に酸化チタンを導入して製造されるチタンアパタイトを用いている。
【００３８】
従って、本考案の段ボールシート１では、前記コーティング層７の作用により、耐水性を更に高めることができ、更に、光触媒が段ボールに付着した汚れを分解するために、長期間の使用によっても汚れることが無い。
【００３９】
即ち、珪藻土は吸湿機能が大きいために、この珪藻土とチタンアパタイトを混ぜ合わせて製造したコーティング材を塗布して形成したコーティング層７を備えた本実施例の段ボールシート１では、珪藻土を含むコーティング層７が室内等の湿気を吸収するために、湿気等がコーティング層７の内側に浸透していくことを防止でき、それにより、第１及び第２の中芯２、４や第１及び第２のライナー３、５が湿気を吸収してしまい反り等を起こすことを防止することができる。
【００４０】
また、珪藻土は吸湿機能が大きいとともに自律的に呼吸するために半永久的に調湿機能を発揮することができ、更に生活臭や有害物質を吸着、脱臭する働きがあることが知られているため、本実施例の段ボールシート１あるいはこの段ボールシート１を用いて作った置物や箱等を室内に置いておくことで、珪藻土の作用により、コーティング層４が室内の余分な湿気を吸収して室内の湿度を自動的に調節することができるとともに、室内に漂う化学物質や悪臭を分解、消臭することもできる。
【００４１】
一方、周知のようにチタンアパタイトは、富士通研究所と東京大学先端科学技術研究センターの共同研究で開発されたもので、アパタイト結晶中に酸化チタンを導入して製造され、有機物を確実に吸着するアパタイトの機能と、吸着した有機物を水と二酸化炭素にまで完全に酸化分解する酸化チタンの効果を併せ持つために、このチタンアパタイトを珪藻土と混ぜ合わせて製造したコーティング材を塗布して形成したコーティング層を備えた本実施例の段ボールシートでは、コーティング層４に付着した汚れや菌等をほとんど分解することができるために、長期間の使用によっても汚れることが無い。
【００４２】
従って、本実施例の段ボールシート１では、コーティング層７が珪藻土と光触媒の双方の効果を発揮することができるので、第１及び第２の中芯や第１及び第２のライナーが湿気による影響を受けることが無いとともに、長期間の使用によっても汚れることが無いという効果を有する。
【００４３】
また、本実施例の段ボールシートあるいは本実施例の段ボールシート１を用いて作った置物や箱等を室内に置いておくことで、室内の余分な湿気を吸収して室内の湿度を自動的に調節することができるとともに、室内に漂う化学物質や悪臭を分解、消臭することもできる。但し、コーティング層７は必ずしも必要なものではなく、コーティング層７を形成せずに、ライナー本体６のみで第２のライナーを構成しても良い。
【００４４】
次に、本実施例の段ボールシート１の作用について説明すると、本実施例の段ボールシート１は、第１の中芯２の表裏側に、第１のライナー３を介して第２の中芯４を配置し、更に、第２の中芯４の反第１のライナー３側には第２のライナーを備えて７層の多層構造にしているために、熱遮断性に優れているとともに、耐水性、耐油性をも備えており、屋内、屋外を問わず、反り等の湿気の影響を受けることが少ない段ボールシートにすることができる。
【００４５】
また、７層構造にしているために、Ｗフルートと言われる５層構造の段ボールシートと比較しても、更に、全体としての強度を高めることができ、そのために、緩衝性が高くなるとともに、損傷が少なくなり、リサイクル性を高くすることができる。
【００４６】
更に、中芯を３層にすることで厚みを出しているために、板紙の厚みを厚くして全体の厚みを出す場合と異なり、材料の使用量を大幅に増やすことなく厚みを出すことができるために、コストを抑えることが可能であり、エコロジーにも資することになる。
【００４７】
更にまた、本実施例の段ボールシート１においては、第２の中芯４の波を、それぞれ、第１の中芯２の波よりも小さくし、それにより波高を低くしているために、表面の平滑性を確保し、多少の印圧があっても印刷可能としているために、それにより、印刷特性が上がり、例えばインクジェット等の印刷にも適応可能である。
【００４８】
また、第２のライナー５を板紙状のライナー本体６における反第２の中芯４側の面にコーティング層７を形成することで構成するとともに、コーティング層７を、珪藻土とチタンアパタイトを混ぜ合わせて製造したコーティング材をライナー本体６に塗布することで形成することで、コーティング層７の作用により、耐水性を更に高めることができるとともに、長期間の使用によっても汚れることが無い段ボールシートにすることができる。
【００４９】
このように、本実施例の段ボールシート１は、第１の中芯２の表裏面に第１のライナー３を接着し、第１のライナー３における反第１の中芯３側の面に第２の中芯４を接着し、この第２の中芯４のそれぞれにおける反第１のライナー側に第２のライナー５を接着し、これにより７層構造にするとともに、第２の中芯４の波をそれぞれ、第１の中芯２の波よりも小さい波としているため、製造コストを抑えながら、全体としての強度を高めて緩衝性、リサイクル性を高めることができるとともに、耐水性、耐油性、耐熱性を備えることができ、更に、表面の平滑性を確保することで、印刷特性を良くすることも可能である。
【００５０】
なお、前記コーティング層７は必ずしも必要なものでは無く、これを備えない構成にして、図３におけるライナー本体６のみで第２のライナー５を構成しても良い。
【産業上の利用可能性】
【００５１】
本考案の段ボールシートは、中芯を３層にした多層構造にするとともに、中心の中芯の波よりも表裏側の中芯の波を小さくすることで、強度を高めて緩衝性、リサイクル性を高めるとともに、耐水性、耐油性、耐熱性、表面の平滑性を確保しているため、多層構造の段ボールシートの全般に適用可能である。
【符号の説明】
【００５２】
１    段ボールシート
２    第１の中芯
３    第１のライナー
４    第２の中芯
５    第２のライナー
６    ライナー本体
７    コーティング層
【図１】
0003186737.tif 000003
【図２】
0003186737.tif 000004
【図３】
0003186737.tif 000005
【手続補正書】
【提出日】平成25年8月20日(2013.8.20)
【手続補正１】
【補正対象書類名】実用新案登録請求の範囲
【補正対象項目名】請求項２
【補正方法】変更
【補正の内容】
【請求項２】
前記第２のライナー（５）はそれぞれ、
ライナー本体（６）と、
該ライナー本体（６）における反第２の中芯（４）側に形成したコーティング層（７）と、を具備するとともに、
前記コーティング層（７）は、珪藻土と光触媒を混ぜ合わせて製造したコーティング材を前記第２のライナー（５）における反第２の中芯（４）側の表面に塗布することで形成した、ことを特徴とする請求項１に記載の段ボールシート。